(57)【要約】【課題】  安全性を損ねることなく外部出力線等の接続、取り外しの利便性を向上し得る保護カバーを提供すること。【解決手段】  筐体１１０の側壁に配され、前記筐体に収容された機器の出力部が設けられる凹窩部１１５を覆う保護カバーにおいて、前記凹窩部上端に設けられたヒンジ１３２によって上下方向に開閉自在に支持され、前記凹窩部下方に設けられた止め具１１６に係合する第1掛止部材が下端寄り部分に設けられた外蓋１３０と、前記外蓋の内面における前記出力部に対応する位置に前記出力部を覆うように回動可能に取り付けられ、上端がヒンジ１２１で回動自在に支持された中蓋１２０とをそなえ、前記外蓋における前記第１掛止部材は、前記係止部材に掛止するフック１３９、前記フックを前記止め具と掛止保持させるように付勢するバネ１４０、このバネによる付勢を解除する操作部材１３８をそなえたことを特徴とする保護カバー。【選択図】  図１
2006220058.tif 000002
【特許請求の範囲】
【請求項１】
筐体の側壁に配され、前記筐体に収容された機器の出力部が設けられる凹窩部を覆う保護カバーにおいて、
前記凹窩部上端に設けられたヒンジによって上下方向に開閉自在に支持され、前記凹窩部下方に設けられた止め具に係合する第1掛止部材が下端寄り部分に設けられた外蓋と、
前記外蓋の内面における前記出力部に対応する位置に前記出力部を覆うように回動可能に取り付けられ、上端がヒンジで回動自在に支持された中蓋とをそなえ、
前記外蓋における前記第１掛止部材は、前記係止部材に掛止するフック、前記フックを前記止め具と掛止保持させるように付勢するバネ、このバネによる付勢を解除する操作部材をそなえた
ことを特徴とする保護カバー。
【請求項２】
請求項１記載の保護カバーにおいて、
前記中蓋は、下端寄り位置に前記外蓋の内面に係止させる第２掛止部材を有し、
前記第１掛止部材は、前記操作レバーの操作により前記第２掛止部材の掛止解除と共に解除されることを特徴とする保護カバー。
【請求項３】
請求項１記載の保護カバーにおいて、
前記外蓋および前記中蓋には、前記中蓋を前記外蓋の内側面に掛止するための掛止機構が設けられたことを特徴とする保護カバー。
【請求項４】
請求項1記載の保護カバーにおいて、
前記外蓋には、前記第１掛止部材を収容し、かつ外部から前記操作レバーを操作し得る窓を持った掛止部材収納部が設けられたことを特徴とする保護カバー。
【請求項５】
請求項１記載の保護カバーにおいて、
前記中蓋は、前記外蓋に対する取り付け位置が変え得るように固定されていることを特徴とする保護カバー。
【請求項６】
請求項１記載の保護カバーにおいて、
前記中蓋は、左右両端部が前記出力部を抱えるように折り曲げられていることを特徴とする保護カバー。
【発明の詳細な説明】
【技術分野】
【０００１】
本発明は、筐体に収容された装置における筐体の一部に設けられる保護カバーに係わり、とくに人が接触すると危険な部位に設けられるものに関する。  
【背景技術】
【０００２】
とくに屋外での使用を予定した電気機器およびその他の機器は、筐体に収容されていることが多く、その出力端子は、筐体の一部に設けられている。そして、その前方には保護カバーが設けられ、作業員等が不用意に接触することを防止している。
【０００３】
図１０は、特許文献１に示された防音形エンジン駆動発電機の例であり、防音型エンジン駆動発電機２０１における防音ケース２０２の側壁に凹窩部２２０が設けられ、この凹窩部２２０に出力端子２１１を取り付けた取付板２１０が設けられ、その前面を蓋２２７により覆っている。蓋２２７は、上端に図示しないヒンジがあり側部はボルト留めされる構造であり、ボルトを外して出力端子２１１への外部出力線２１２の繋ぎ込みを行い、その後、蓋２２７を閉じてボルトで固定しておくものである。
【０００４】
図１１は、同じく特許文献１に示されたもう一つの例であり、端子板取付部材２２０の図示左側壁に取り付けられた取付板２１０に出力端子２１１が設けられており、この出力端子２１１に外部出力線２１２が挿入され、ボルトで締め付け固定されている。外部出力線２１２は、蓋２２７の下端と端子取付部材２２０との間に形成された隙間から外部に引き出されている。
【０００５】
図１２は、特許文献２に示されたもので、防音型エンジン発電機３０１の操作パネル３１２の下方に、前面カバー内側面３０３ｄと仕切壁３１１とによって仕切られて端子取付部３０３ｂが設けられており、この端子取付部３０３ｂに配された端子取付基板３１４に出力端子３１３が設けられている。そして、出力端子３１３および端子取付基板３１４を覆うように、端子カバー３１６が設けられ、かつこの端子カバー３１６はボルト孔３１９を通したボルト（図示せず）をネジ孔３２０にねじ込んで固定し、簡単に開かないようになっている。
【０００６】
また、端子カバー３１６の図示右側ヒンジの近傍には、突出片３１６ｄが設けられており、端子カバー３１６を閉めた状態で突出片３１６ｄが図示しないスイッチを作動させて安全操作を促すようになっている。
【特許文献１】登録実用新案第3096471号公報
【特許文献２】実開平2‐96433号公報
【発明の開示】
【発明が解決しようとする課題】
【０００７】
上記図１０ないし図１２に示された出力端子周りの構造は、安全性の面から見れば十分に考慮されたものである。
【０００８】
しかしながら、外部出力線を頻繁に接続し、取り外す場合には、煩雑な作業を要し、取り扱い上はかなり不具合である。
【０００９】
本発明は上述の点を考慮してなされたもので、安全性を損ねることなく外部出力線等の接続、取り外しの利便性を向上し得る保護カバーを提供することを目的とする。
【課題を解決するための手段】
【００１０】
上記目的達成のため、本発明では、
筐体の側壁に配され、前記筐体に収容された機器の出力部が設けられる凹窩部を覆う保護カバーにおいて、
前記凹窩部上端に設けられたヒンジによって上下方向に開閉自在に支持され、前記凹窩部下方に設けられた止め具に係合する第1掛止部材が下端寄り部分に設けられた外蓋と、
前記外蓋の内面における前記出力部に対応する位置に前記出力部を覆うように回動可能に取り付けられ、上端がヒンジで回動自在に支持された中蓋とをそなえ、
前記外蓋における前記第１掛止部材は、前記係止部材に掛止するフック、前記フックを前記止め具と掛止保持させるように付勢するバネ、このバネによる付勢を解除する操作部材をそなえた
ことを特徴とする保護カバー、
を提供するものである。
【発明の効果】
【００１１】
本発明は上述のように、外蓋と中蓋との二重蓋構造の保護カバーとしたため、外蓋は操作レバーの操作により簡単に開閉できるようにし、しかも外蓋を開けたときは中蓋による予備的な保護状態となる保護カバーを提供することができる。
【発明を実施するための最良の形態】
【００１２】
以下、図１ないし図９を参照して本発明の実施例を説明する。
【実施例１】
【００１３】
図１は、本発明の実施例１の側面図である。この図１では、可搬型エンジン駆動発電機１００の出力端子部に設けられた保護カバーとしての例を示している。
【００１４】
エンジン駆動発電機１００は、エンジン５０と発電機６０とが直結されており、筐体１１０に収容されている。筐体１１０は、ベース１１１上に収納室１１２が載置されたもので、収納室１１２の図示右側に出力端子部が設けられている。ベース１１１は、台車１６０に搭載されており、車輪１６１により移動可能となっている。
【００１５】
出力端子部は、取付枠１１５ａ内部の箱状空間として形成されており、この箱状空間に出力端子が配され、前面を保護カバーの外蓋１３０で覆う構成となっている。
【００１６】
箱状空間では、絶縁板７０上にブレード型端子板８０ｂおよび差込式端子（図示せず）が取り付けられており、差込式端子に出力ケーブル９０の先端に設けられた雄端子９０ａが差し込まれている。
【００１７】
箱状空間の前面は、箱状空間の開放端かつ上端に設けられたヒンジ１３２により外蓋１３０が回動可能に支持されており、図では反時計方向に回動されてほぼ水平状態にある。そして、外蓋１３０を時計方向に回動させて垂直状態にすると、フック１３９が止め具１１６に係合して収納室１１５ｂを閉止した状態とする。
【００１８】
外蓋１３０の内側面には、２対のボルトにより外蓋１３０に対する相対位置を変え得るように取り付けられたヒンジ１２１により、中蓋１２０が支持されている。したがって、中蓋１２０は、外蓋１３０の上端近くに寄せて固定することもできるし、より下端寄りの位置に移動させて固定することもできる。そして、中蓋１２０は、ヒンジ１２１により回動可能に支持され、かつ外蓋１３０と対向する面に設けられた留めピン１２２が、外蓋１３０の対応する位置に設けられたキャッチャ１３４と係合して、一時留めできるように構成されている。
【００１９】
図２は、図１におけるＰ方向、つまり保護カバーをその正面から見たときの筐体１１０の外面を、外蓋１３０が持ち上げられた状態として示している。このため、中蓋１２０が見えている。この場合、ブレード型端子板８０ｂが収納室１１５のやや右寄りに設けられているため、中蓋１２０も保護カバー外蓋１３０に対してやや右寄り位置に取り付けられている。
【００２０】
中蓋１２０で隠れた状態で示されているのが、出力端子であり、３相を構成する各相端子は、差込式端子８０ａとクリップ用のブレード型端子板８０ｂとの２種類ずつが設けられている。そして、通常は差込式端子８０ａを使用するが、極めて頻繁に接続、取り外しを行う場合にはクリップを使ってブレード型端子板８０ｂに簡便に接続する。
【００２１】
図３は、図２におけるＡ−Ａ線に沿って切断した断面図である。この図３に示すように、水平状態にある外蓋１３０がヒンジ１３２を中心にして時計方向に回動し、４５度位置および垂直位置となった状態を想像線で示している。
【００２２】
垂直状態では、フック１３９が収納室１１５に設けられた止め具１１６に係合して外蓋１３０を掛止し、収納室１１５を閉じた状態とする。
【００２３】
図４は、再び保護カバーの外蓋１３０を開けて水平位置にした状態を示しており、ここでは、とくにフック１３９の操作機構を示している。フック１３９は、バネ１４０により時計方向に回動付勢されており、操作力が加わるとバネ１４０による付勢力に抗して回動軸１５０を中心にして反時計方向に回動することができる。
【００２４】
この操作力を与えるために、レバー１３８ｃが設けられており、その先端を図示上方に引き上げて反時計方向に回動させる操作を行う。この回動操作を行うために、外蓋１３０には、作業員が指を差し入れる開口が設けられている。
【００２５】
また、レバー１３８ｃは、略中央部に後述する回転中心となるスリーブ１３８ａが固着され、他端は押しレバー１３８ｄとなっている。この押しレバー１３８ｄは、先端が中蓋１２０の先端に当接し得るように設けられており、レバー１３８cの回動操作をすると押しレバー１３８ｄが中蓋１２０の先端を図4の位置であれば下向きに押す。このレバー１３８ｃの操作は、レバー１３８ｃに植設された後述するピン１３８ｅにより反時計方向に回動されるものであり、これに連れフック１３９もバネ１４０の付勢力に抗して反時計方向に回動させられる。
【００２６】
図５は、中蓋１２０と外蓋１３０との関係を示した説明図である。中蓋１２０は、ブレード型端子板８０ｂを覆う位置に配され、しかも出力ケーブル９０と中蓋１２０の内面との接触を防ぐことが好ましいため、ブレード型端子板８０ｂと中蓋１２０との間隙を調整することが必要となることもある。そのために、ボルト締め式で位置を変え得るスライド板１３３を用いて中蓋１２０を取り付けている。これにより、スライド板１３３を位置合わせしてボルト締めすることにより、中蓋１２０を最適位置に固定することができる。
【００２７】
また、この図５に示すように、中蓋１２０はヒンジ１２１に支持されて、外蓋１３０に対して回動自在な状態になる。これにより、外蓋１３０を開いてもなおブレード型端子板８０ｂを覆うことができ、近くにいる人が出力端子板に接触する危険を回避することができる。
【００２８】
図６は、図４に説明した操作機構の概要を説明する図である。この図６に示すように、外蓋１３０は、ヒンジ１３２を中心に垂直位置と水平位置との間のほぼ90度の回動により、閉状態から開状態（想像線で図示）に移行し、また開状態から閉状態に戻る。
【００２９】
そして、開状態である水平位置では中蓋１２０の下端が外蓋１３０のキャッチャ１３４に嵌合したように図示しているが、通常、レバー１３８ｃを操作して外蓋１３０を開くときは、押しレバー１３８ｄが中蓋１２０の下端を押して外蓋１３０のキャッチャ１３４から解放するから中蓋１２０の下端は自由な状態となっている。
【００３０】
図７および図８は、図４ないし図６に示した操作機構を拡大図示したもので、図７は拡大部分断面図、図８はそのB-B線に沿う断面図である。この操作機構は、操作部材１３８と係止部材１３９とを主たる構成要素とし、これら両者は軸１５０に回動自在に軸支されている。すなわち、操作部材１３８はスリーブ１３８ａにより、係止部材１３９はスリーブ１３９ｂにより軸１５０に嵌装されている。
【００３１】
そして、作業員が外蓋１３０を開くとき、指で操作部材１３８のレバー１３８ｃを反時計方向に回動するように操作すると、操作部材１３８に植設されたピン１３８ｅがフック１３９の突起１３９ａを押してフック１３９を反時計方向に回動させる。この結果、フック１３９が付勢バネ１４０の時計方向への回動付勢力に抗して回動し、止め具１１６から外れて外蓋１３０が回動自在になる。
【００３２】
図９は、外蓋１３０を、ヒンジ１３２を中心にして時計方向に回動させ閉じていく途中で、フック１３９が止め具１１６に掛止される直前の状態を示したものである。フック１３９は、その先端の図示上側に摺動部１３９ｆを有し、係止レバー１３９が止め具１１６に掛止する直前に摺動部１３９ｆが止め具１１６に当接、摺動していく。そして、摺動部１３９ｆを過ぎたとき、深くえぐられた掛止部１３９ｃにより止め具１１６に掛止する。これにより、外蓋１３０が係止された状態となる。
【図面の簡単な説明】
【００３３】
【図１】本発明の一実施例の構成を示す説明図。
【図２】図１に示した実施例の右側面図。
【図３】図１に示した実施例における外蓋を開いた状態を示す要部拡大図。
【図４】図１に示した実施例における外蓋の詳細構造を示した要部拡大図。
【図５】図１に示した実施例における中蓋１２０と外蓋１３０との関係を示した説明図。
【図６】図１に示した実施例における外蓋および中蓋の開閉機構を示す要部拡大図。
【図７】図１に示した実施例における外蓋および中蓋の開閉機構を示す要部拡大図。
【図８】図１に示した実施例における外蓋および中蓋の開閉機構を示す要部拡大図。
【図９】図１に示した実施例における外蓋および中蓋の開閉機構を示す要部拡大図。
【図１０】従来のエンジン駆動発電機の出力端子部構造を示す説明図。
【図１１】図１０に示した出力端子部の拡大側断面図。
【図１２】従来の他の出力端子部構造を示す説明図。
【符号の説明】
【００３４】
５０  エンジン、６０  発電機、７０  絶縁板、８０  出力端子板、
８０ａ  差込式端子、８０ｂ  ブレード型端子板、９０  出力ケーブル、
１００  エンジン駆動発電機、１１０  筐体、１１１  ベース、
１１２  収納室、１１５  凹窩部、１１６  止め具、１２０  中蓋、
１３０  外蓋、１３２  ヒンジ、１３４  キャッチャ、１３８  操作部材、
１３９  フック、１４０  バネ、２０１  防音型エンジン駆動発電機、
２０２  防音ケース、２１０  取付板、２１１，３１３  出力端子、
２１２  外部出力線、２２０  端子板取付部材、
３０１  防音型エンジン発電機、３１１  仕切壁、３１２  操作パネル、３１４  端子取付基板、３１６  端子カバー、３１９  ボルト穴。
【図１】
2006220058.tif 000003
【図２】
2006220058.tif 000004
【図３】
2006220058.tif 000005
【図４】
2006220058.tif 000006
【図５】
2006220058.tif 000007
【図６】
2006220058.tif 000008
【図７】
2006220058.tif 000009
【図８】
2006220058.tif 000010
【図９】
2006220058.tif 000011
【図１０】
2006220058.tif 000012
【図１１】
2006220058.tif 000013
【図１２】
2006220058.tif 000014
【手続補正書】
【提出日】平成17年8月11日(2005.8.11)
【手続補正１】
【補正対象書類名】明細書
【補正対象項目名】００３０
【補正方法】変更
【補正の内容】
【００３０】
図７および図８は、図４ないし図６に示した操作機構を拡大図示したもので、図７は拡大部分断面図、図８はそのB-B線に沿う断面図である。この操作機構は、操作部材１３８とフック１３９とを主たる構成要素とし、これら両者は軸１５０に回動自在に軸支されている。すなわち、操作部材１３８はスリーブ１３８ａにより、係止部材１３９はスリーブ１３９ｂにより軸１５０に嵌装されている。
【手続補正２】
【補正対象書類名】明細書
【補正対象項目名】００３２
【補正方法】変更
【補正の内容】
【００３２】
図９は、外蓋１３０を、ヒンジ１３２を中心にして時計方向に回動させ閉じていく途中で、フック１３９が止め具１１６に掛止される直前の状態を示したものである。フック１３９は、その先端の図示上側に摺動部１３９ｆを有し、フック１３９が止め具１１６に掛止する直前に摺動部１３９ｆが止め具１１６に当接、摺動していく。そして、摺動部１３９ｆを過ぎたとき、深くえぐられた掛止部１３９ｃによりフック１３９は止め具１１６に掛止する。これにより、外蓋１３０が係止された状態となる。